【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
生体情報に関する複数回分の測定結果の統計値を算出および表示することのできる生体情報表示装置であって、
表示手段と、
ユーザからの指示を受け付けるための操作手段と、
複数回分の生体情報の測定結果を第１の測定結果として記憶するための記憶手段と、
前記第１の測定結果のうち、統計値の算出に用いる第２の測定結果を特定するための制御を行なう特定制御手段とを備え、
前記特定制御手段は、前記第１の測定結果についての結果情報が表示された場合に、前記操作手段により受け付けられた指示に基づいて、前記第２の測定結果を特定するための特定処理手段を含み、
特定された前記第２の測定結果についての統計値を算出するための第１の算出手段をさらに備え、
前記表示手段は、算出された前記統計値を表示し、
前記特定処理手段は、受け付けられた前記指示が前記第１の測定結果のうち除外対象のデータの指定を示すときは、指定された測定結果以外の測定結果を、前記第２の測定結果として特定し、
前記特定処理手段は、受け付けられた前記指示が前記第１の測定結果のうち算出対象のデータの指定を示すときは、指定された測定結果を、前記第２の測定結果として特定する、生体情報表示装置。
【請求項２】
前記第１の測定結果は、各々、第１の測定値データを含み、
前記特定制御手段は、前記結果情報として、前記第１の測定値データを前記表示手段に表示し、
前記第１の算出手段は、前記第２の測定結果それぞれに含まれる第２の測定値データの統計値を算出する、請求項１に記載の生体情報表示装置。
【請求項３】
各前記第１の測定値データは、血圧値のデータであり、
各前記第１の測定結果は、複数の脈波振幅値データ、および、前記複数の脈波振幅値データそれぞれと対応付けられた複数の圧力値データをさらに含み、
前記特定制御手段は、前記結果情報として、さらに、カフ圧軸に沿った脈波振幅のグラフを前記表示手段に表示する、請求項２に記載の生体情報表示装置。
【請求項４】
前記特定制御手段は、前記第１の測定結果に基づいて、各測定値の信頼率を算出するための第２の算出手段をさらに含み、
前記表示手段は、前記結果情報とともに、各測定値データと対応付けて前記信頼率をさらに表示する、請求項２または３に記載の生体情報表示装置。
【請求項５】
前記特定制御手段は、前記信頼率に基づいて、前記第１の測定値データのうち、ユーザの指定候補を抽出するための抽出手段をさらに含み、
前記表示手段は、前記結果情報を表示する際に、前記指定候補として抽出された測定値データを、他の測定値データと識別可能に表示する、請求項４に記載の生体情報表示装置。
【請求項６】
前記第１の測定結果は、各々、血圧値のデータである第１の測定値データ、および、脈波関連情報を含み、
各前記脈波関連情報は、複数の脈波振幅値データ、および、前記複数の脈波振幅値データそれぞれと対応付けられた複数の圧力値データをさらに含み、
前記特定制御手段は、前記脈波関連情報に基づいて、前記結果情報として、前記第１の測定結果ごとに、カフ圧軸に沿った脈波振幅のグラフを前記表示手段に表示する、請求項１に記載の生体情報表示装置。
【請求項７】
前記第１の算出手段は、前記第２の測定結果それぞれに含まれる脈波波形の統計値を算出する、請求項６に記載の生体情報表示装置。
【請求項８】
被測定者の所定の測定手部位に巻き付けるためのカフと、
前記カフ内の圧力を調整するための調整ユニットと、
前記カフ内の圧力を表わすカフ圧を検出するための検出手段と、
前記検出手段より検出されたカフ圧に基づいて、前記被測定者の血圧値を測定するための測定処理手段とをさらに備える、請求項３〜７のいずれかに記載の生体情報表示装置。
【請求項９】
前記第１の測定結果は、所定回数分の測定結果を表わす、請求項１〜８のいずれかに記載の生体情報表示装置。
【請求項１０】
前記第１の測定結果は、ユーザより指定された分類種別に対応付けられた測定結果を表わす、請求項１〜８のいずれかに記載の生体情報表示装置。
【請求項１１】
前記分類種別は、時間帯、前記被測定者の識別情報、および、測定条件のうちの少なくともいずれかであることが予め定められる、請求項１０に記載の生体情報表示装置。
【請求項１２】
生体情報測定装置と生体情報表示装置とを備えた生体情報表示システムであって、
前記生体情報測定装置は、
被測定者の生体情報を測定するための測定処理手段と、
前記測定処理手段により測定された複数回分の第１の測定結果を出力するための出力手段とを含み、
前記生体情報表示装置は、
前記第１の測定結果を入力するための入力手段と、
表示手段と、
ユーザからの指示を受け付けるための操作手段と、
前記第１の測定結果のうち、統計値の算出に用いる第２の測定結果を特定するための制御を行なう特定制御手段とを含み、
前記特定制御手段は、前記第１の測定結果についての結果情報が表示された場合に、前記操作手段により受け付けられた指示に基づいて、前記第２の測定結果を特定するための特定処理手段を有し、
特定された前記第２の測定結果についての統計値を算出するための第１の算出手段をさらに含み、
前記表示手段は、算出された前記統計値を表示し、
前記特定処理手段は、受け付けられた前記指示が前記第１の測定結果のうち除外対象のデータの指定を示すときは、指定された測定結果以外の測定結果を、前記第２の測定結果として特定し、
前記特定処理手段は、受け付けられた前記指示が前記第１の測定結果のうち算出対象のデータの指定を示すときは、指定された測定結果を、前記第２の測定結果として特定する、生体情報表示システム。
【請求項１３】
生体情報に関する複数回分の測定結果の統計値を算出および表示するための統計処理方法であって、
複数回分の第１の測定結果についての結果情報を表示するステップと、
前記結果情報が表示された場合に、ユーザからの指示に基づいて、前記第１の測定結果のうち、統計値の算出に用いる複数の第２の測定結果を特定するステップと、
特定された前記第２の測定結果についての統計値を算出するステップと、
算出された前記統計値を表示するステップとを備え、
前記特定するステップでは、前記指示が前記第１の測定結果のうち除外対象のデータの指定を示すときは、指定された測定結果以外の測定結果が、前記第２の測定結果として特定され、
前記特定するステップでは、前記指示が前記第１の測定結果のうち算出対象のデータの指定を示すときは、指定された測定結果が、前記第２の測定結果として特定される、統計処理方法。
【請求項１４】
生体情報に関する複数回分の測定結果の統計値を算出および表示するための統計処理プログラムであって、
複数回分の第１の測定結果についての結果情報を表示するステップと、
前記結果情報が表示された場合に、ユーザからの指示に基づいて、前記第１の測定結果のうち、統計値の算出に用いる複数の第２の測定結果を特定するステップと、
特定された前記第２の測定結果についての統計値を算出するステップと、
算出された前記統計値を表示するステップとをコンピュータに実行させ、
前記特定するステップでは、前記指示が前記第１の測定結果のうち除外対象のデータの指定を示すときは、指定された測定結果以外の測定結果が、前記第２の測定結果として特定され、
前記特定するステップでは、前記指示が前記第１の測定結果のうち算出対象のデータの指定を示すときは、指定された測定結果が、前記第２の測定結果として特定される、統計処理プログラム。
【請求項１５】
生体情報に関する複数回分の測定結果の統計値を算出および表示するための統計処理プログラムを記録した記録媒体であって、
複数回分の第１の測定結果についての結果情報を表示するステップと、
前記結果情報が表示された場合に、ユーザからの指示に基づいて、前記第１の測定結果のうち、統計値の算出に用いる複数の第２の測定結果を特定するステップと、
特定された前記第２の測定結果についての統計値を算出するステップと、
算出された前記統計値を表示するステップとをコンピュータに実行させ、
前記特定するステップでは、前記指示が前記第１の測定結果のうち除外対象のデータの指定を示すときは、指定された測定結果以外の測定結果が、前記第２の測定結果として特定され、
前記特定するステップでは、前記指示が前記第１の測定結果のうち算出対象のデータの指定を示すときは、指定された測定結果が、前記第２の測定結果として特定される、統計処理プログラムを記録した記録媒体。